(57)【要約】【課題】  ステアリングロック装置の配置を改善し、もって大きなコストアップを招くことなく乗員保護性能への対策を講じる。【解決手段】  一端に設けられ、キー(3)により回転されるキーシリンダ(5)と、中間部に設けられ、キーシリンダ(5)の回転に応じてステアリングシャフト(2)の回転を規制するステアリングロック機構(9,10)と、他端に設けられ、キーシリンダ(5)の回転に応じてイグニッションスイッチを接続するイグニッションスイッチ機構(13)とを備え、キーシリンダ(5)、ステアリングロック機構(9,10)、及びイグニッションスイッチ機構(13)は、ステアリングシャフト(2)の片側側方に配置され、一端側と他端側とが中間部で略直交方向に屈曲する屈曲部を備え、この屈曲部は、キーシリンダ(5)の回転方向を異なる方向の回転に変換しその回転をイグニッションスイッチ機構(13)に伝達する回転方向変換部(8,11,12)を備える。【選択図】  図１
2006111124.tif 000002
【特許請求の範囲】
【請求項１】
一端に設けられ、キーにより回転されるキーシリンダと、
中間部に設けられ、前記キーシリンダの回転に応じて、車両の略前後方向に伸びたステアリングシャフトの回転を規制するステアリングロック機構と、
他端に設けられ、前記キーシリンダの回転に応じて、イグニッションスイッチを接続するイグニッションスイッチ機構と、
を備えたステアリングロック装置であって、
前記キーシリンダと、前記ステアリングロック機構と、前記イグニッションスイッチ機構とは、前記ステアリングシャフトの片側側方に配置され、
前記一端側と前記他端側とが前記中間部において略直交方向に屈曲する屈曲部を備え、
前記屈曲部は、前記キーシリンダの回転方向を異なる方向の回転に変換しその回転を前記イグニッションスイッチ機構に伝達する回転方向変換部を備える
ことを特徴とするステアリングロック装置。
【請求項２】
前記ステアリングロック機構を包囲すると共に、このステアリングロック装置を前記ステアリングシャフトの前記片側側方に取り付けるための取付部が一体的に形成されるステアリングロックボディと、
前記取付部に取り付けられ、この取付部と共に前記ステアリングシャフトを挟持するブラケットと、
を更に備え、
前記ステアリングシャフトとは反対側に突出するように形成された、前記取付部と前記ブラケットとの接合部が、前記ステアリングシャフトの下方以外の部分に設けられることを特徴とする請求項１に記載のステアリングロック装置。
【請求項３】
前記接合部分は、前記ステアリングシャフトの上方と、前記ステアリングロック機構が配置されない側の、前記ステアリングシャフトの略側方とに設けられることを特徴とする請求項２に記載のステアリングロック装置。
【請求項４】
前記ステアリングロックボディには、コンビネーションスイッチユニットを取り付け可能なコンビネーションスイッチユニット取付部が更に形成されることを特徴とする請求項３に記載のステアリングロック装置。
【請求項５】
前記コンビネーションスイッチユニット取付部は、前記ステアリングロックボディの前記取付部の車両後方側にて、前記ステアリングシャフトの左右両側に形成されるコンビネーションスイッチユニット用ブラケットを備えることを特徴とする請求項４に記載のステアリングロック装置。
【請求項６】
前記ステアリングロック機構の組み付け挿入口が、前記一端側に設けられることを特徴とする請求項３に記載のステアリングロック装置。
【請求項７】
前記キーシリンダには、キーによらずにこのキーシリンダの回転を許容するためのスマートキーレスユニットが接続され、
このスマートキーレスユニットは、前記ステアリングシャフトの下方に突出しないように配置されることを特徴とする請求項１に記載のステアリングロック装置。
【請求項８】
前記屈曲部の屈曲方向が車両前方に向けられることを特徴とする請求項１に記載のステアリングロック装置。
【発明の詳細な説明】
【技術分野】
【０００１】
本発明は、車両のステアリングシャフトの回転を制御するステアリングロック装置に関する。
【背景技術】
【０００２】
車両に用いられるステアリングロック装置は一般に、一端に設けられ、乗員によって回転操作されるキーシリンダと、中間部に設けられ、キーシリンダの操作に応じて、車両の略前後方向に伸びたステアリングシャフトに対して、その回転を規制するステアリングロック機構と、他端に設けられ、キーシリンダの操作に応じて、イグニッションスイッチを接続するイグニッションスイッチ機構とを備えている（例えば、特許文献１〜３を参照。）。ここで、イグニッションスイッチ機構がキーシリンダの他端側に設けられるのは、一端側に設けられるキーシリンダの回転動作を構造的に簡単にイグニッションスイッチの制御に利用するためである。また、ステアリングロック機構が中間部に設けられるのは、キーシリンダの回転動作に応じてステアリングシャフトに係合部材を係合させる等してその回転を規制するために、ステアリングシャフトに隣接した位置に設けられる必要があるからである。
【０００３】
【特許文献１】特開平９−１１２０９９号公報
【特許文献２】特開２００１−２７８００９号公報
【特許文献３】特開２００２−１３８７２９号公報
【発明の開示】
【発明が解決しようとする課題】
【０００４】
かかる構成の従来のステアリングロック装置は、車両の略前後方向に伸びるステアリングシャフトと上下方向から見て交差するように配置される。ステアリングロック装置がステアリングシャフトと三次元的に交差することはできない。なぜなら、ドライバーのステアリング操作を確実に操舵に伝えるというステアリングシャフトの役割からして、ステアリングシャフトがステアリングロック装置により分割されてしまうという構成は考えられないからである。
【０００５】
ところで、ドライバーからはステアリングホイールの中にメータ等が見えるようにメータ等を配置しようとする場合において、メータ等の視認性を向上させるためには、メータ等をステアリングシャフトの上方に近接させて設置する必要がある。しかし、ステアリングロック装置をステアリングシャフトの上方に設置すると、メータ等をステアリングシャフトに近接させて配置することができず、メータ等の視認性が悪化してしまう。
【０００６】
しかしながら、ステアリングロック装置がステアリングシャフトの下方に設けられると、車両の衝突時等に乗員の膝などがステアリングロック装置に干渉する恐れがあり、乗員保護性能への対策をとる必要があり、コストアップが必要となってしまうという問題がある。
【０００７】
本発明は、上記従来技術の課題を解決するためになされたもので、ステアリングロック装置の配置を改善し、もって大きなコストアップを招くことなく乗員保護性能への対策を講じることを目的とする。
【課題を解決するための手段】
【０００８】
本発明は、一端に設けられ、キーにより回転されるキーシリンダと、中間部に設けられ、前記キーシリンダの回転に応じて、車両の略前後方向に伸びたステアリングシャフトの回転を規制するステアリングロック機構と、他端に設けられ、前記キーシリンダの回転に応じて、イグニッションスイッチを接続するイグニッションスイッチ機構とを備えたステアリングロック装置に係る。
【０００９】
特許文献１〜３に記載されたステアリングロック装置は、上記したように、車両の略前後方向に伸びるステアリングシャフトと上下方向から見て交差するように配置される。
【００１０】
これに対して本発明のステアリングロック装置は、前記キーシリンダと、前記ステアリングロック機構と、前記イグニッションスイッチ機構とは、前記ステアリングシャフトの片側側方に配置される。ここで、このステアリングロック装置は、前記一端側と前記他端側とが前記中間部において略直交方向に屈曲する屈曲部を備えており、この屈曲部は、前記キーシリンダの回転方向を異なる方向の回転に変換しその回転を前記イグニッションスイッチ機構に伝達する回転方向変換部を備える。
【００１１】
この構成によれば、ステアリングロック装置をステアリングシャフトより下方に突出しないように、より上方に配置することができ、これによって乗員保護性能への対策が図られる。もちろん、前記イグニッションスイッチ機構やステアリングロック機構の本来の役割も不足なく達成が可能である。また、屈曲部を備えた構成によって、部品レイアウト性能も維持できている。例えば、先述したように、ドライバーからはステアリングホイールの中にメータ等が見えるようにメータ等を配置しようとする場合において、メータ等の視認性を向上させるためには、メータ等をステアリングシャフトの上方に近接させて設置する必要がある。しかし、ステアリングロック装置をステアリングシャフトの上方に設置すると、メータ等をステアリングシャフトに近接させて配置することができず、メータ等の視認性が悪化してしまう。この点、本発明によれば、ステアリングロック装置をステアリングシャフトの略側方に設置することができるので、問題なくメータ等をステアリングシャフトに近接させて配置することができる。
【００１２】
本発明の好適な実施形態によれば、前記ステアリングロック機構を包囲すると共に、このステアリングロック装置を前記ステアリングシャフトの前記片側側方に取り付けるための取付部が一体的に形成されるステアリングロックボディと、前記取付部に取り付けられ、この取付部と共に前記ステアリングシャフトを挟持するブラケットとを更に備え、前記ステアリングシャフトとは反対側に突出するように形成された、前記取付部と前記ブラケットとの接合部が、前記ステアリングシャフトの下方以外の部分に設けられることが好ましい。
【００１３】
この構成によれば、ステアリングロックボディとブラケットとの接合部分がステアリングシャフトの下方に突出することがなく、これにより乗員保護性能への対策が図られる。
【００１４】
また、本発明の好適な実施形態によれば、前記接合部分は、前記ステアリングシャフトの上方と、前記ステアリングロック機構が配置されない側の、前記ステアリングシャフトの略側方とに設けられることがより好ましい。
【００１５】
これにより、ステアリングロックボディの強度を確保することができる。また、このステアリングロック装置のステアリングシャフトへの組み付けに係るレイアウト容易性を向上させることにもなる。
【００１６】
さらに、本発明の好適な実施形態によれば、前記ステアリングロックボディには、コンビネーションスイッチユニットを取り付け可能なコンビネーションスイッチユニット取付部が更に形成されることが好ましい。
【００１７】
上記のとおり、前記接合部分を、前記ステアリングシャフトの上方と、前記ステアリングロック機構が配置されない側の前記ステアリングシャフトの側方とに設けるようにした場合には、２つの接合部分がステアリングシャフトの１８０°反対方向に設けられないので、ステアリングロックボディをステアリングシャフトに取り付ける際にはステアリングロックボディの取付部にステアリングシャフトを挿入してスライド取り付けをする必要があるが、この構成によれば、コンビネーションスイッチユニット取付部をステアリングシャフト自体に設ける必要がなくなり、ステアリングロックボディの取付部にステアリングシャフトを挿入しスライドして取り付ける作業の障害を排除できる。
【００１８】
さらに、本発明の好適な実施形態によれば、前記コンビネーションスイッチユニット取付部は、前記ステアリングロックボディの前記取付部の車両後方側にて、前記ステアリングシャフトの左右両側に形成されるコンビネーションスイッチユニット用ブラケットを備えることが好ましい。
【００１９】
これにより、あまりコストアップを招くことなく、コンビネーションスイッチユニットの取付剛性を向上できる。
【００２０】
さらにまた、本発明の好適な実施形態によれば、前記ステアリングロック機構の組み付け挿入口が、前記一端側に設けられることが好ましい。
【００２１】
この構成によれば、ステアリングロックボディに邪魔される前記他端側ではなく、前記一端側からステアリングロック機構を組み付けられるので、組み付け性能が向上する。
【００２２】
さらに、本発明の好適な実施形態によれば、前記キーシリンダには、キーによらずにこのキーシリンダの回転を許容するためのスマートキーレスユニットが接続され、この場合には、スマートキーレスユニットは、前記ステアリングシャフトの下方に突出しないように配置されることが好ましい。
【００２３】
この構成によれば、スマートキーレスユニットがステアリングシャフトの下方に突出することがなく、これにより乗員保護性能への対策が図られる。
【００２４】
さらに、本発明の好適な実施形態によれば、前記屈曲部の屈曲方向が車両前方に向けられることが好ましい。
【００２５】
この構成によればすなわち、屈曲部の屈曲方向は下方ではないので、イグニッションスイッチ機構と乗員の膝とが干渉するおそれをなくすことができる。また、屈曲部の屈曲方向は上方でもないので、イグニッションスイッチ機構とメータとが干渉するおそれもなく、メータの視認性を維持できる。更に、イグニッションスイッチ機構からは車両のバッテリと各車載電装品に配線が引っ張られる方向と一致する前方なので、イグニッションスイッチ機構を極力バッテリや各電装品に近づけることができ、配線の短縮化を図ることができる。
【発明の効果】
【００２６】
本発明によれば、ステアリングロック装置をステアリングシャフトより下方に突出しないように、より上方に配置することができ、もって大きなコストアップを招くことなく乗員保護性能への対策が図られる。
【発明を実施するための最良の形態】
【００２７】
以下、図面を参照して本発明の好適な実施形態について詳細に説明する。
【００２８】
図１は、本発明の実施形態におけるステアリングロック装置の構成を示す断面図である。なお、図面上方が車両前方、図面下方が車両後方を示している。
【００２９】
図中、１が、ステアリングロック装置、２が、車両の略前後方向に伸びたステアリングシャフトである。このステアリングシャフト２には、図面下方において図示しないステアリングホイールが取り付けられることになる。また、３は、ユーザに所持され取り扱われるキーである。
【００３０】
ステアリングロック装置１は、従来のようにステアリングシャフト２とは交差せず、ステアリングシャフト２の片側（例えば右側）の略側方に配置される。
【００３１】
なお、従来のステアリングロック装置そのままの構成で単純にステアリングシャフト２の側方に位置させたのでは、レイアウトが成立しないと言ってよい。なぜなら、従来のステアリングロック装置は、円柱状に形成されたケーシングの一端に、キーにより回転されるキーシリンダが設けられ、その中間部に、このキーシリンダの回転に応じて作動するステアリングロック機構が設けられ、さらに、その他端に、キーシリンダの回転に応じて作動するイグニッションスイッチ機構が設けられる構成が通常であり、ステアリングロック機構を有する中間部においてステアリングシャフトと交差させるレイアウトをとることが前提になっているからである。
【００３２】
この点、本実施形態におけるステアリングロック装置１は、その一端側と他端側とが中間部において略直交方向に屈曲する屈曲部を有する特徴的な構成を採用した。これによってステアリングシャフト２の片側の略側方に配置するレイアウトが十分に成立する。
【００３３】
また、本実施形態では、屈曲部の屈曲方向は、車両前方に向けられる。この構成によればすなわち、屈曲部の屈曲方向は下方ではないので、イグニッションスイッチ機構と乗員の膝とが干渉するおそれをなくすことができる。また、屈曲部の屈曲方向は上方でもないので、イグニッションスイッチ機構とメータとが干渉するおそれもなく、メータの視認性を維持できる。更に、イグニッションスイッチ機構からは車両のバッテリと各車載電装品に配線が引っ張られる方向と一致する前方なので、イグニッションスイッチ機構を極力バッテリや各電装品に近づけることができ、配線の短縮化を図ることができる。
【００３４】
ステアリングロック装置１の各構成要素は、例えば鉄材により一体的に形成されるステアリングロックボディ４内に配置される。まず、その一端において、キー３によって回転されるキーシリンダ５が配置され、シリンダアウタ６によって保持される。シリンダアウタ６は、ピン１４ａ、１４ｂによってステアリングロックボディ４に拘止される。
【００３５】
上記屈曲部を有する中間部には、キーシリンダ５と一体回転可能に連結される第１連結ロッド７、この第１連結ロッド７に軸支され従動するカム９、および、ステアリングシャフト２の回転を規制するべく、このカム９の動作に伴ってステアリングシャフト２に形成された凹部に係合するロック部材１０が設けられ、これらによってステアリングロック機構が構成される。このステアリングロック機構における、ステアリングシャフト２のロックおよびその解除を行うための具体的な構造については後述する。
【００３６】
また、他端においては、イグニッションスイッチ機構１３が設けられている。ここで、このイグニッションスイッチ機構１３がキーシリンダ５の回転に応じてイグニッションスイッチを接続することを実現するために、以下の機構が更に設けられる。まず、第１連結ロッド７とカム８との間に、第１連結ロッド７に軸支される第１ギア８、および、この第１ギア８に噛合する第２ギア１１が設けられる。ここで、第１ギア８は、第１連結ロッド７の軸方向に対し例えば４５°に傾斜したギア面を有し、第２ギア１１も同様に傾斜したギア面を有する。そして、第２ギア１１の回転軸１２は第２連結ロッドとしてイグニッションスイッチ機構１３に固定される。以上のように構成された第１ギア８および第２ギア１１ならびに第２連結ロッド１２が、キーシリンダ５の回転方向を異なる方向の回転に変換してその回転をイグニッションスイッチ機構１３に伝達する回転方向変換部として機能することになる。
【００３７】
このような回転方向変換部が、上記屈曲部を有する構成の実現をサポートする。この構成により、レイアウト性能を維持しつつ、ステアリングロック装置１をステアリングシャフト２より下方に突出しないように、より上方に配置することができる。
【００３８】
次に、上記したステアリングロック機構における、ステアリングシャフト２のロックおよびその解除を行うための構造について、図２を用いて説明する。図２は、ステアリングロック機構の具体的な構造例を示す斜視図で、（Ａ）はステアリングロックが解除された状態、（Ｂ）はステアリングロックがかかった状態を示している。
【００３９】
同図に示すように、カム９は円筒にカム溝が形成された円筒溝カムである。また、ロック部材１０はカム従動体として、例えばクランク状に形成され、その一端がカム９の溝に係合される。また、ステアリングロックボディ４の内側表面には凸部４ａが形成され、ここにコイルばね１５の一端が固定されている。さらに、ロック部材１０のカム９の溝に係合される一端側の折れ曲がり部には、カム９の回動軸に沿う向きに突出する凸部１０ａが設けられ、ここにコイルばね１５の他端側が挿通される。このとき、コイルばね１５は圧縮された状態で設けられるとともに、ロック部材１０は、ステアリングロックボディ４の内側表面に形成されたガイド部材４ｂによってカム９の回動軸に沿う方向以外の方向への動きが規制されている。これにより、ロック部材１０は、ステアリングシャフト２に設けられた凹部に係合する位置に向かって付勢された状態とされる。
【００４０】
さて、同図（Ａ）は、キー３によってキーシリンダ５がイグニッションＯＮの位置に向けて回転されたことにより、ステアリングロックが解除された状態を示している。この場合、ロック部材１０はステアリングシャフト２の凹部に係合していないので、ステアリングシャフト２の回転が許容される。一方、同図（Ｂ）はキー３によってキーシリンダ５がＡＣＣ  ＯＦＦの位置に回転されたことにより、ステアリングロックがかかった状態を示している。（Ａ）の状態から（Ｂ）の状態に遷移する際には、カム９は第１連結ロッド７を介してキーシリンダ５と一体的に回転するので、このキーシリンダ５の回転に伴いカム９も回動する。すると、ステアリングシャフト２の凹部に向かって付勢されているロック部材１０は、カム９の回動による作用によって、ステアリングシャフト２の凹部に係合する。これによってステアリングシャフト２の回転は規制され、盗難防止が図られることになる。
【００４１】
次に、上記したステアリングロック装置１のステアリングシャフト２への取り付けについて詳しく説明する。
【００４２】
ステアリングロック装置およびその取り付けにおいては、盗難防止性能の確保が重要であり、工具等の侵入を容易に許すような構造は不適当である。そこで、本実施形態におけるステアリングロックボディ４は、少なくともステアリングロック機構を包囲すると共に、ステアリングロック装置１をステアリングシャフト２に取り付けるための取付部が、一体的に形成される。
【００４３】
その取付部は基本的に、ステアリングシャフト２の外周に沿う円弧状に形成される。そして、これをステアリングシャフト２にあてがい、このステアリングシャフト２を挟持するかたちで、取付部と同様な円弧形状が形成されたブラケットを取付部に接合し固定する。この固定は、例えばボルトを用いた締結固定による。
【００４４】
さて、上述したとおり、本発明に従えば、ステアリングロック装置１はステアリングシャフト２の片側側方に配置されることになるが、この場合、上記取付部とブラケットとの接合部はどの位置に設けるのがよいであろうか。ステアリングシャフト２への組み付け容易性の観点からすれば、この接合部は、ステアリングシャフト２の上方と下方に設けるのが有利であろう。
【００４５】
しかし、この接合部はボルト締結用の孔を設ける必要から、この部分が突出した形状とならざるをえない。そうすると、上記のように、接合部をステアリングシャフト２の上方と下方に設けた場合には、この接合部がステアリングシャフトの下方に突出し、車両の衝突時等に乗員の膝などがこの部分に干渉する恐れがある。となると、乗員保護性能を確保できない可能性がある。
【００４６】
以上の考察からすると、ステアリングロックボディ４の取付部とブラケットとの接合部分は、ステアリングシャフト２の下方以外の部分に設けられることが好ましい。そうすれば、ステアリングシャフト２の下方には突出する部分がなくなり、これによって、乗員保護性能への対策が図られる。
【００４７】
図３は、ステアリングロックボディ４の取付部とブラケットとの接合部分をステアリングシャフト２の下方以外の部分に設けた一例を示している。図中、２０が、ステアリングシャフト２（不図示）を取り付けて保持する取付部であり、ステアリングロックボディ４と一体形成されている。一方、２１がこの取付部２０に接合されるブラケットである。上記したように、取付部２０とブラケット２１との接合部はボルトによって締結固定されるものであるが、図示の例では、この接合部の一方はステアリングシャフト２の上方に設けられ、他方は、ステアリングシャフト２を挟んでステアリングロック機構と対向する位置、すなわち、ステアリングロック機構が配置されない側のステアリングシャフト２の側方に設けられる。こうすることで、ステアリングロックボディ４の強度を確保することができるし、このステアリングロック装置のステアリングシャフトへの組み付けに係るレイアウト容易性を向上させることにもなる。
【００４８】
ところで、ステアリングロックボディ４の取付部２０とブラケット２１との接合部をステアリングシャフト２の上方と下方に設けた場合には、ステアリングシャフト２の側方から挟み込むようにして接合部を固定することができるのだが、図３に示したように、接合部をステアリングシャフト２の上方とステアリングロック機構が配置されない側のステアリングシャフト２の側方に設けた場合には、ステアリングホイールを取り付ける前のステアリングシャフト２に、手前（ステアリングホイールが取り付けられる側）から、この取付部２０を挿入してスライドさせることにより組み付けることになる。
【００４９】
しかしながら、一般には、ステアリングシャフトに取り付けられる物はステアリングロック装置だけではなく、コンビネーションスイッチユニットも取り付けられる。しかも、コンビネーションスイッチユニットの方が車両後方側（ステアリングホイール側）に取り付けられるのが一般的であり、ステアリングシャフトには、そのコンビネーションスイッチユニットを取り付けるための取付座が設けられていた。
【００５０】
そうすると、上記の如く構成された取付部２０は、コンビネーションスイッチユニット用の取付座が障害となって、そもそもステアリングシャフトに挿入することができないという問題を生じる。
【００５１】
そこで、ステアリングロックボディ４に更に、コンビネーションスイッチユニット用取付部を形成することが好ましい。
【００５２】
図４は、このようなコンビネーションスイッチユニット用取付部を形成したステアリングロック装置の例を示す図である。図中、２５がコンビネーションスイッチユニット用取付部である。基本的には、このコンビネーションスイッチユニット用取付部２５は、取付部２０と同様の形状で一体形成されたもので、車両後方側（ステアリングホイール側）に突出するように設けられる。このように、ステアリングロックボディ４自体がコンビネーションスイッチユニット用取付部２５を兼ね備える構成とすれば、従来のようにステアリングシャフト２にあらかじめコンビネーションスイッチユニット用の取付座を設ける必要がなくなる。よって、このステアリングロック装置１は、ステアリングシャフト２に挿入しスライドすることによって取り付けることが容易に行える。
【００５３】
また、図４に示したように、コンビネーションスイッチユニット用取付部２５は、取付部２０のようにステアリングシャフト２の上方に接合部を形成するのではなく、ステアリングシャフト２の左右両側に接合部を形成することがより好ましい。かかる形状とすることにより、従来のコンビネーションユニットを、その接合部の形状を改変することなしに取り付けることが可能である。すなわち、このコンビネーションスイッチユニット用取付部２５は、従来のコンビネーションスイッチユニットの取付座あるいはブラケットとして機能することになる。したがって、大きなコストアップを招くことなく、コンビネーションスイッチユニットの取付剛性を向上させることが可能である。
【００５４】
ところで、近年の自動車には、いわゆるスマートキーレスシステムを搭載したものがある。これは、キーの役割を果たす携帯機と、車両に搭載される車載機（スマートキーレスユニット）との間で認証通信を行い、この認証が成功した場合に、ドアのロック／アンロック制御や、エンジンの始動許可を行うもので、このシステムによれば、メカニカルなキーによらずに、車両の一連の操作を行うことができる。
【００５５】
このスマートキーレスシステムは、認証通信を経て、ステアリングロックの解除、すなわち、キーシリンダの回転操作を許容する制御を含む。このため、一般には、ステアリングロック機構を作動させるための電磁ソレノイドを含むスマートキーレスユニットが、ステアリングロック装置に取り付けられることになる。
【００５６】
図５は、ステアリングロック装置にスマートキーレスユニットを取り付けた例を示している。図示の例では、スマートキーレスユニット３０はステアリングロック装置１の上部に取り付けられている。ここで、このスマートキーレスユニット３０をステアリングロック装置１の下方に取り付けたのでは、やはり、車両の衝突時等に乗員の膝などがスマートキーレスユニットに干渉する恐れがあり、乗員保護性能への対策をとる必要があり、コストアップが必要となってしまうという問題がある。したがって、スマートキーレスユニット３０は、少なくとも、ステアリングシャフト２の下方に突出しないように配置されることが好ましい。
【００５７】
次に、以上説明した本発明の実施形態に係るステアリングロック装置１の各構成要素の組み付けについて言及しておく。
【００５８】
上述のとおり、本発明に係るステアリングロック装置は、中間部において屈曲部を有する特徴的な構成を備えている。そのため、この装置の組み付け時には、まず、ステアリングロック機構の構成部品を中間部に配置させることが必要である。ここで再び図１を参照すると、キーシリンダ５が配置されることになる一端側を、ステアリングロック機構の構成部品の組み付け挿入口とすることが好ましい。他端側からステアリングロック機構の構成部品を挿入しようとする場合にはステアリングロックボディ４の屈曲形状が邪魔となって組み付けが困難であるのに対し、一端側からは直線的に挿入できて、容易に組み付けができることが理解されよう。
【図面の簡単な説明】
【００５９】
【図１】本発明の実施形態におけるステアリングロック装置の構成を示す断面図である。
【図２】本発明の実施形態におけるステアリングロック機構の具体的な構造例を示す斜視図である。
【図３】本発明の実施形態におけるステアリングロック装置のステアリングシャフトへの取付例を示す図である。
【図４】本発明の実施形態における、コンビネーションスイッチユニット用取付部が形成されたステアリングロック装置の例を示す図である。
【図５】本発明の実施形態におけるステアリングロック装置へのスマートキーレスユニットの取り付け例を示す図である。
【符号の説明】
【００６０】
１    ステアリングロック装置
２    ステアリングシャフト
３    キー
４    ステアリングロックボディ
５    キーシリンダ
７    第１連結ロッド
８    第１ギア
９    カム
１０  ロック部材
１１  第２ギア
１２  第２連結ロッド
１３  イグニッションスイッチ機構
【図１】
2006111124.tif 000003
【図２】
2006111124.tif 000004
【図３】
2006111124.tif 000005
【図４】
2006111124.tif 000006
【図５】
2006111124.tif 000007